(57)【要約】      （修正有）【課題】手で把持した際に、物品を収容した収容空間から排出される気体の熱による火傷を防止することができる包装袋を提供する。【解決手段】シート材を用いて袋状に形成された本体部２と本体部の内側で対向するように配置される一対の内側対向部を有する内側配置部３とを備え、本体部は本体部を構成するシート材の内面同士が剥離可能にシールされて形成された剥離シール部２ｄと剥離シール部と接するように形成されて物品を収容可能な収容部２ｃと収容部内の気体を排出可能な本体開口部２ｅとを備え、内側配置部は収容部内の気体を一対の内側対向部間に流入可能な気体流入部３ｅと一対の内側対向部間の気体を外側へ排出可能な気体排出部３ｆとを備え、剥離シール部は気体流入部と収容部とが接しないように気体流入部と収容部との間に形成され、本体開口部は気体排出部から排出される気体を本体部の外側へ排出可能に構成されることを特徴とする。【選択図】図２
2017137111.tif 000002
【特許請求の範囲】
【請求項１】
シート材を用いて袋状に形成された本体部と、該本体部の内側で対向するように配置される一対の内側対向部を有する内側配置部とを備え、
本体部は、本体部を構成するシート材の内面同士が剥離可能にシールされて形成された剥離シール部と、該剥離シール部と接するように形成されて物品を収容可能な収容部と、該収容部内の気体を排出可能な本体開口部とを備え、
内側配置部は、前記収容部内の気体を一対の内側対向部間に流入可能な気体流入部と、一対の内側対向部間の気体を外側へ排出可能な気体排出部とを備え、
前記剥離シール部は、気体流入部と収容部とが接しないように気体流入部と収容部との間に形成され、
前記本体開口部は、気体排出部から排出される気体を本体部の外側へ排出可能に構成されることを特徴とする包装袋。
【請求項２】
前記剥離シール部は、前記収容部側へ向かって凸状となる凸状部を備えることを特徴とする請求項１に記載の包装袋。
【請求項３】
前記一対の内側対向部は、接離自在に構成されることを特徴とする請求項１又は２に記載の包装袋。
【請求項４】
前記凸状部は、収容部の中央部へ向かって凸状となるように形成されることを特徴とする請求項２又は３に記載の包装袋。
【発明の詳細な説明】
【技術分野】
【０００１】
本発明は、物品を収容した状態で加熱される包装袋に関する。
【背景技術】
【０００２】
近年、レトルト食品や冷凍食品等を物品として収容する包装袋が広く利用されている。斯かる包装袋は、物品を収容した状態で電子レンジ等を用いて加熱されることで、物品が調理され、又は、加熱されることにより、物品を良好な状態で食することを可能にする。
【０００３】
ところで、このような包装袋は、加熱されることによって包装袋内の空気が膨張したり物品に含まれる水分が蒸発したりするため、包装袋の内圧が高まることになる。このような内圧の上昇は、包装袋を破裂させる要因となる。そこで、包装袋が加熱された際に包装袋内の気体（空気や水蒸気など）を包装袋の外側へ排出させるべく、包装袋を構成するシート材に貫通孔を設けると共に、該貫通孔の周囲に包装袋の内面同士を剥離可能にシールした剥離シール部を設けた包装袋が提案されている（特許文献１参照）。
【０００４】
斯かる包装袋によれば、加熱に伴って包装袋の内圧が高まると、貫通孔の周囲の剥離シール部が剥がれて、物品を収容した空間と貫通孔とが連通することになる。これにより、収容空間の気体が貫通孔から包装袋の外側へ排出されるため、内圧の上昇によって意図せずに包装袋が破裂してしまうのを防止することが可能となっている。
【先行技術文献】
【特許文献】
【０００５】
【特許文献１】特開２０１５−１１３１３１号公報
【発明の概要】
【発明が解決しようとする課題】
【０００６】
しかしながら、上記のような包装袋は、包装袋の表面に貫通孔が形成されるため、加熱後の包装袋を手で把持した際に、収容空間から排出される気体が手に触れ易くなっており、火傷をする虞がある。
【０００７】
そこで、本発明は、手で把持した際に収容空間から排出される気体の熱による火傷を防止することができる包装袋を提供することを課題とする。
【課題を解決するための手段】
【０００８】
本発明に係る包装袋は、シート材を用いて袋状に形成された本体部と、該本体部の内側で対向するように配置される一対の内側対向部を有する内側配置部とを備え、本体部は、本体部を構成するシート材の内面同士が剥離可能にシールされて形成された剥離シール部と、該剥離シール部と接するように形成されて物品を収容可能な収容部と、該収容部内の気体を排出可能な本体開口部とを備え、内側配置部は、前記収容部内の気体を一対の内側対向部間に流入可能な気体流入部と、一対の内側対向部間の気体を外側へ排出可能な気体排出部とを備え、前記剥離シール部は、気体流入部と収容部とが接しないように気体流入部と収容部との間に形成され、前記本体開口部は、気体排出部から排出される気体を本体部の外側へ排出可能に構成されることを特徴とする。
【０００９】
斯かる構成によれば、内側配置部は、前記収容部内の気体を一対の内側対向部間に流入可能な気体流入部と、一対の内側対向部間の気体を外側へ排出可能な気体排出部とを備え、前記剥離シール部は、気体流入部と収容部とが接しないように気体流入部と収容部との間に形成され、前記本体開口部は、気体排出部から排出される気体を本体部の外側へ排出可能に構成されるため、収容部内の気体（例えば、空気や水蒸気など）が一対の内側対向部間を通して本体部の外側へ排出される。これにより、収容部の内圧の上昇によって包装袋が破損するのを防止することができる。また、収容部内の気体が一対の内側対向部間に流入するため、内側配置部を備える部分を手で把持した際に、気体の熱によって火傷するのを防止することができる。
【００１０】
具体的には、収容部に物品が収容されて本体部が密封された状態で包装袋が加熱されると、収容部の内圧が上昇し、該内圧の上昇によって、剥離シール部を構成するシート材の内面同士を剥離させるような力が剥離シール部に加わることになる。これにより、剥離シール部が剥離して、収容部内の空間と一対の内側対向部間の空間とが気体流入部を介して連通した状態となり、収容部内の気体が気体流入部を介して一対の内側対向部間へ流入する。そして、一対の内側対向部間に流入した気体は、気体排出部から内側配置部の外側へ排出されると共に本体開口部から本体部の外側へ排出される。これにより、収容部の内圧が上昇するのが防止されるため、内圧の上昇によって包装袋が破損するのを防止することができる。
【００１１】
また、包装袋における内側配置部を備える部分では、内側配置部と本体部とが重なるため、一対の内側対向部間に流入した気体の熱が本体部の外側へ伝わり難くなる。このため、内側配置部を備える位置で包装袋を手で把持した際に、収容部から排出される気体の熱によって火傷するのを防止することができる。
【００１２】
前記剥離シール部は、前記収容部側へ向かって凸状となる凸状部を備えることが好ましい。
【００１３】
斯かる構成によれば、前記剥離シール部は、前記収容部側へ向かって凸状に形成された凸状部を備えるため、収容部の内圧の上昇によって生じる剥離シール部を剥離させる力が凸状部に集中することになる。これにより、凸状部から剥離シール部が容易に剥離されるため、収容部内の気体をより容易に本体部の外側へ排出させることができる。
【００１４】
前記一対の内側対向部は、接離自在に構成されることが好ましい。
【００１５】
斯かる構成によれば、前記一対の内側対向部は、接離自在に構成されるため、収容部内の気体が気体流入部から一対の内側対向部間へ流入すると、流入した気体の圧力によって一対の内側対向部の間隔が広がることになる。これにより、収容部内の気体が一対の内側対向部間へより流入し易くなるため、収容部内の気体をより効率的に本体部の外側へ排出することができる。
【００１６】
前記凸状部は、収容部の中央部へ向かって凸状となるように形成されることが好ましい。
【００１７】
斯かるによれば、前記凸状部は、収容部の中央部へ向かって凸状となるように形成されるため、収容部内の気体をより効率的に本体部の外側へ排出することができる。
具体的には、密封された包装袋を加熱すると、収容部の中央部側から収容部の外周部へ向かって収容部が膨張するため、収容部の中央部へ向かって凸状となるように凸状部が形成されることで、剥離シール部を剥離させる力が凸状部に加わりやすくなる。これにより、剥離シール部の剥離がより容易に生じるため、収容部内の気体をより効率的に本体部の外側へ排出することができる。
【発明の効果】
【００１８】
以上のように、本発明によれば、包装袋を手で把持した際に収容空間から排出される気体の熱による火傷を防止することができる。
【図面の簡単な説明】
【００１９】
【図１】本発明の一実施形態に係る包装袋を構成するシート材を示した斜視図。
【図２】同実施形態の包装袋を示した正面図と側面図。
【図３】図２の正面図のＩ−Ｉ断面であって、（ａ）は、剥離シール部が剥離する前の状態を示した図、（ｂ）は、剥離シール部が剥離した状態を示した図。
【図４】（ａ）〜（ｄ）は、本発明の他の実施形態に係る包装袋の内側配置部とその近傍を示した正面図。
【図５】（ａ）は、本発明の更に他の実施形態に係る包装袋が備える内側配置部を示した斜視図、（ｂ）は、更に他の実施形態に係る包装袋の端部を示した斜視図。
【発明を実施するための形態】
【００２０】
以下、本発明の実施形態について図１〜３を参照しながら説明する。なお、以下の図面において同一または相当する部分には同一の参照符号を付しその説明は繰り返さない。
【００２１】
まず初めに、本実施形態に係る包装袋１を構成する部材について説明する。本実施形態に係る包装袋１は、図１に示すように、シート材から形成される本体部２と、シート材から形成されて本体部２の内側に配置される内側配置部３とを備える。シート材を構成する素材としては、特に限定されるものではなく、物品の性状等に応じて適宜選択されるものである。例えば、ナイロン、ポリエチレン、ポリプロピレン、ポリエチレンテレフタレート等の樹脂素材が挙げられる。また、これらの樹脂素材から形成されるフィルムにアルミニウム等の金属層が積層されたフィルムを用いることもできる。
【００２２】
本体部２は、対向するように配置される一対の本体対向部２ａ，２ａを備える。また、本体部２は、一対の本体対向部２ａ，２ａ間に折り込まれた折込部２ｂを備える。本実施形態では、本体部２は、一枚のシート材が折り返されて形成される。具体的には、一枚のシート材の略中央部に折込部２ｂが形成され、該折込部２ｂを挟んで一対の本体対向部２ａ，２ａが形成される。一対の本体対向部２ａ，２ａは、略同一の矩形状に形成される。そして、一対の本体対向部２ａ，２ａの長手方向の一端部間に折込部２ｂが形成される。
【００２３】
内側配置部３は、本体部２の内側で対向するように配置される一対の内側対向部３ａ，３ａを備える。本実施形態では、一枚のシート材が二つ折りにされることで、一対の対向部３ａ，３ａを備える内側配置部３が形成される。また、内側配置部３の外周端部には、一対の内側対向部３ａ，３ａの端部同士が連結された内側連結部３ｂと、一対の内側対向部３ａ，３ａの端部同士が連結されていない非連結端部３ｃとを備える。本実施形態では、内側配置部３を構成するシート材が折り返されて形成される端部によって内側連結部３ｂが形成され、該内側連結部３ｂ以外の端部に非連結端部３ｃが形成される。つまり、内側配置部３の外周端部は、一つの内側連結部３ｂと非連結端部３ｃとから構成される。これにより、内側配置部３は、一対の内側対向部３ａ，３ａは、接離自在（具体的には、内側連結部３ｂを軸に接離自在）に構成される。
【００２４】
また、内側配置部３は、一対の内側対向部３ａ，３ａ間に気体を流入可能な気体流入部３ｅと、一対の内側対向部３ａ，３ａ間の気体を排出する気体排出部３ｆとを備える。気体流入部３ｅ及び気体排出部３ｆは、非連結端部３ｃから構成される。具体的には、内側配置部３は、非連結端部３ｃの一部から一対の内側対向部３ａ，３ａ間に気体が流入し、非連結端部３ｃの他の一部から一対の内側対向部３ａ，３ａ間の気体が排出されるように構成される。以下では、非連結端部３ｃにおける気体流入部３ｅを構成する部分を気体流入端部３ｅとし、非連結端部３ｃにおける気体排出部３ｆを構成する部分を気体排出端部３ｆして記載する。つまり、内側配置部３の外周端部は、気体流入端部３ｅと気体排出端部３ｆと内側連結部３ｂとから構成されている。気体流入端部３ｅは、内側連結部３ｂの端部から内側連結部３ｂの延びる方向に対して傾斜する方向に延びるように形成される。
【００２５】
次に、上記の構成からなる包装袋１に物品Ｘが包装された状態について説明する。図２に示すように、包装袋１は、袋状に形成された本体部２と該本体部２の内側に配置される内側配置部３とを備える。また、包装袋１は、本体部２を構成する一対の本体対向部２ａ，２ａの対向方向に沿って見た際に（正面視）、四角形状となるように形成される。
【００２６】
また、包装袋１は、外周部に包装袋１を構成するシート材がシールされて形成された外周シール部１ａを備える。該外周シール部１ａは、一対の本体対向部２ａ，２ａの端部同士がシールされて形成されたシール部１ｂと、一対の本体対向部２ａ，２ａの端部と折込部２ｂとがシールされて形成されたシール部１ｃと、一対の本体対向部２ａ，２ａの端部と内側配置部３の非連結端部３ｃ（具体的には、気体排出端部３ｆ）とがシールされて形成されたシール部１ｄとを備える。
【００２７】
本体部２は、物品Ｘを収容可能な収容部２ｃを備える。該収容部２ｃは、本体部２における外周端部（具体的には、外周シール部１ａを構成する端部）よりも内側の領域であって内側配置部３と重なる領域以外の領域に形成される。物品Ｘとしては、特に限定されるものではなく、例えば、食品、特には、水分を含んだ食品（固形であっても液状であってもよい）が挙げられる。
【００２８】
また、本体部２は、本体部２を構成するシート材（具体的には、一対の本体対向部２ａ，２ａ）の内面同士が剥離可能にシールされて形成された剥離シール部２ｄを備える。該剥離シール部２ｄは、収容部２ｃと隣接するように形成される。また、剥離シール部２ｄは、内側配置部３が備える気体流入端部３ｅと収容部２ｃとが接しないように気体流入端部３ｅと収容部２ｃとの間に形成される。また、剥離シール部２ｄは、気体流入端部３ｅを構成する一対の内側対向部３ａ，３ａの端部間の隙間を封止するように形成される。具体的には、剥離シール部２ｄは、気体流入端部３ｅと隣接するように形成されることで、気体流入端部３ｅを封止するように構成される。これにより、内側配置部３内（一対の内側対向部３ａ，３ａ間）の空間と収容部２ｃ内の空間とが気体流入端部３ｅを介して連通するのが防止される。
【００２９】
また、剥離シール部２ｄは、収容部２ｃ側へ向かって（具体的には、収容部２ｃの中央部へ向かって）凸状となる凸状部２１ｄを備える。本実施形態では、剥離シール部２ｄが三角形状に形成されることで、剥離シール部２ｄの角部に凸状部２１ｄが形成される。また、剥離シール部２ｄは、本体部２の中央部よりも外周端部側（具体的には、外周シール部１ａの近傍に）形成される。
【００３０】
また、本体部２は、収容部２ｃ内の気体を排出可能な本体開口部２ｅを備える。該本体開口部２ｅは、一対の本体対向部２ａ，２ａの連結されていない端部によって形成される。つまり、本体開口部２ｅは、本体部２の端部（具体的には、四角形状の包装袋１の角部）に形成される。また、本体開口部２ｅの内側には、内側配置部３の気体排出端部３ｆが配置される。
【００３１】
内側配置部３は、包装袋１の端部（具体的には、四角形状の包装袋１の角部）に配置される。また、内側配置部３は、本体部２の端部と重なるように（具体的には、一対の本体対向部２ａ，２ａの端部間に）配置される。より詳しくは、内側配置部３は、気体排出端部３ｆが一対の本体対向部２ａ，２ａの端部における本体開口部２ｅを構成する部分の間に配置される。本実施形態では、気体排出端部３ｆが本体開口部２ｅと重なる（具体的には、面一となる）ように構成される。そして、一対の内側対向部３ａ，３ａ間に形成される空間が本体開口部２ｅを介して本体部２の外側の空間と連通した状態となっている。本実施形態では、本体開口部が本体部２の角部に形成されているため、一対の内側対向部３ａ，３ａ間に形成される空間は、本体部２の外側へ複数方向に向かって解放される。
【００３２】
また、内側配置部３は、気体流入端部３ｅと内側連結部３ｂの一部とが外周シール部１ａよりも収容部２ｃ側に配置され、気体流入端部３ｅが剥離シール部２ｄによって閉塞されている。
【００３３】
上記のように構成される包装袋１は、該外周シール部１ａと剥離シール部２ｄとが形成されることで、物品Ｘを収容した状態で密封された状態となる。そして、斯かる包装袋１は、物品Ｘを収容した状態で加熱される。包装袋１を加熱する方法としては、特に限定されるものではなく、例えば、電子レンジを用いて加熱してもよく、湯煎によって加熱してもよい。そして、包装袋１が加熱されると、図３（ａ）に示すように、収容部２ｃ内で空気が膨張したり水蒸気が生じたりするため、収容部２ｃの内圧が上昇する。これにより、シート材（具体的には、一対の本体対向部２ａ，２ａ）における剥離シール部２ｄを形成する領域の内面同士を離間させる方向の力（以下、剥離力とも記す）が剥離シール部２ｄに加わることになる。
【００３４】
そして、斯かる剥離力によって、図２（ｂ）に示すように、剥離シール部２ｄが剥離することで、収容部２ｃ内の空間と内側配置部３内（一対の内側対向部３ａ，３ａ間）の空間とが気体流入端部３ｅを介して連通することになる。これにより、収容部２ｃ内の気体（空気や水蒸気など）が内側配置部３内（一対の内側対向部３ａ，３ａ間）に気体流入端部３ｅから流入する。そして、内側配置部３内（一対の内側対向部３ａ，３ａ間）に流入した気体は、気体排出端部３ｆから排出されると共に（本実施形態では、同時に）本体開口部２ｅから本体部２の外側へ排出される。これにより、収容部２ｃ内の気体が包装袋１の外側へ排出される。
【００３５】
以上のように、本願実施形態に係る包装袋１は、手で把持した際に収容部２ｃ内から排出される気体の熱による火傷を防止することができる。
【００３６】
即ち、内側配置部３は、前記収容部２ｃ内の気体を一対の内側対向部３ａ，３ａ間に流入可能な気体流入部３ｅと、一対の内側対向部３ａ，３ａ間の気体を外側へ排出可能な気体排出部３ｆとを備え、前記剥離シール部２ｄは、気体流入部３ｅと収容部２ｃとが接しないように気体流入部３ｅと収容部２ｃとの間に形成され、前記本体開口部２ｅは、気体排出部３ｆから排出される気体を本体部２の外側へ排出可能に構成されるため、収容部２ｃ内の気体（例えば、空気や水蒸気など）が一対の内側対向部３ａ，３ａ間を通して本体部２の外側へ排出される。これにより、収容部２ｃの内圧の上昇によって包装袋１が破損するのを防止することができる。また、収容部２ｃ内の気体が一対の内側対向部３ａ，３ａ間に流入するため、内側配置部３を備える部分を手で把持した際に、気体の熱によって火傷するのを防止することができる。
【００３７】
具体的には、収容部２ｃに物品が収容されて本体部２が密封された状態で包装袋１が加熱されると、収容部２ｃの内圧が上昇し、該内圧の上昇によって、剥離シール部２ｄを構成するシート材の内面同士を剥離させるような力が剥離シール部２ｄに加わることになる。これにより、剥離シール部２ｄが剥離して、収容部２ｃ内の空間と一対の内側対向部３ａ，３ａ間の空間とが気体流入部３ｅを介して連通した状態となり、収容部２ｃ内の気体が気体流入部３ｅを介して一対の内側対向部３ａ，３ａ間へ流入する。そして、一対の内側対向部３ａ，３ａ間に流入した気体は、気体排出部３ｆから内側配置部３の外側へ排出されると共に本体開口部２ｅから本体部２の外側へ排出される。これにより、収容部２ｃの内圧が上昇するのが防止されるため、内圧の上昇によって包装袋１が破損するのを防止することができる。
【００３８】
また、包装袋１における内側配置部３を備える部分では、内側配置部３と本体部２とが重なるため、一対の内側対向部３ａ，３ａ間に流入した気体の熱が本体部２の外側へ伝わり難くなる。このため、内側配置部３を備える位置で包装袋１を手で把持した際に、収容部２ｃから排出される気体の熱によって火傷するのを防止することができる。
【００３９】
前記剥離シール部２ｄは、前記収容部２ｃ側へ向かって凸状に形成された凸状部２１ｄを備えるため、収容部２ｃの内圧の上昇によって生じる剥離シール部２ｄを剥離させる力が凸状部２１ｄに集中することになる。これにより、凸状部２１ｄから剥離シール部２ｄが容易に剥離されるため、収容部２ｃ内の気体をより容易に本体部２の外側へ排出させることができる。
【００４０】
前記一対の内側対向部３ａ，３ａは、接離自在に構成されるため、収容部２ｃ内の気体が気体流入部３ｅから一対の内側対向部３ａ，３ａ間へ流入すると、流入した気体の圧力によって一対の内側対向部３ａ，３ａの間隔が広がることになる。これにより、収容部２ｃ内の気体が一対の内側対向部３ａ，３ａ間へより流入し易くなるため、収容部２ｃ内の気体をより効率的に本体部２の外側へ排出することができる。
【００４１】
前記凸状部２１ｄは、収容部２ｃの中央部へ向かって凸状となるように形成されるため、収容部２ｃ内の気体をより効率的に本体部２の外側へ排出することができる。
【００４２】
具体的には、密封された包装袋１を加熱すると、収容部２ｃの中央部側から収容部２ｃの外周部へ向かって収容部２ｃが膨張するため、収容部２ｃの中央部へ向かって凸状となるように凸状部２１ｄが形成されることで、剥離シール部２ｄを剥離させる力が凸状部２１ｄに加わりやすくなる。これにより、剥離シール部２ｄの剥離がより容易に生じるため、収容部２ｃ内の気体をより効率的に本体部２の外側へ排出することができる。
【００４３】
なお、本発明に係る包装袋は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００４４】
例えば、上記実施形態では、内側配置部３は、気体流入部（気体流入端部）３ｅを一つ備えるように構成されているが、これに限定されるものではなく、例えば、図４（ａ）に示すように、気体流入部（気体流入端部）気体流入端部３ｅを複数備えるように構成されてもよい。斯かる場合には、剥離シール部２ｄも複数形成される。
【００４５】
また、上記実施形態では、内側配置部３の気体流入端部３ｅは、内側配置部３の延びる方向に対して傾斜するように構成されているが、これに限定されるものではなく、例えば、図４（ｂ）に示すように、内側連結部３ｂの延びる方向に対して略直交するように形成されてもよい。
【００４６】
また、上記実施形態では、気体流入端部３ｅは、収容部２ｃの中央部から外周部へ向かう方向に対して略直交する方向に延びるように配置されているが、これに限定されるものではなく、例えば、図４（ｂ）に示すように、収容部２ｃの中央部から外周部へ向かう方向に沿った方向に延びるように配置されてもよい。
【００４７】
また、上記実施形態では、剥離シール部２ｄの凸状部は、収容部２ｃの中央部へ向かって凸状に形成されているが、これに限定されるものではなく、例えば、図４（ｂ）に示すように、収容部２ｃの中央部へ向かう方向とは異なる方向（例えば、包装袋１の外周に沿った方向）へ凸状となるように形成されてもよい。
【００４８】
また、上記実施形態では、内側配置部３における非連結端部３ｃのうち、気体流入端部３ｅ以外の他の非連結端部３ｃは、一対の本体対向部２ａ，２ａの端部間に配置されて該端部とシールされている（シール部１ｄが形成されている）が、これに限定されるものではなく、例えば、気体流入端部３ｅ以外の他の非連結端部３ｃが該外周シール部１ａよりも収容部２ｃ側に位置するように構成されてもよい。斯かる場合には、他の非連結端部３ｃの近傍で一対の本体対向部２ａ，２ａの対向面同士が剥離しないようにシールされる（即ち、シール部１ａが形成される）ことで、当該他の非連結端部３ｃが閉塞される。
【００４９】
また、上記実施形態では、剥離シール部２ｄは、気体流入端部３ｅと隣接するように形成されているが、これに限定されるものではなく、例えば、図４（ｃ）に示すように、気体流入端部３ｅから離間した位置（具体的には、内側配置部３から離間した位置）に形成されてもよい。
【００５０】
また、上記実施形態では、剥離シール部２ｄは、凸状部２１ｄを一つ備えるように構成されているが、これに限定されるものではなく、例えば、図４（ｄ）に示すように、凸状部２１ｄを複数備えるように構成されてもよい。
【００５１】
また、上記実施形態では、内側配置部３は、一枚のシート材が二つ折りにされることで形成されているが、これに限定されるものではなく、例えば、図５（ａ）に示すように、筒状であってもよい。具体的には、筒状の内側配置部３は、軸線方向の両端部に開口部２ｇ，２ｇを備え、各開口部２ｇにおける対向する部分によって非連結端部３ｃ，３ｃが構成される。つまり、筒状の内側配置部３は、軸線方向の両端部に非連結端部３ｃ，３ｃを備える。また、筒状の内側配置部３は、両端部の非連結端部３ｃ，３ｃ間で対向すると共に非連結端部３ｃ，３Ｃ同士を連結する領域によって一対の内側対向部３ａ，３ａが構成される。また、筒状の内側配置部３は、軸線方向に対して直交する方向に位置する一方の内側対向部３ａの両端部と他方の内側対向部３ａの両端部とがそれぞれ内側連結部３ｂで連結される。つまり、筒状の内側配置部３は、一対の内側連結部３ｂ，３ｂを備える。該内側連結部３ｂは、筒状の内側配置部３における一対の内側対向部３ａ，３ａ以外の部分によって構成される。そして、筒状の内側配置部３は、軸線方向の一端部に形成される非連結端部３ｃによって気体流入端部３ｅが構成され、軸線方向の他端部に形成される非連結端部３ｃによって気体排出端部３ｆが構成される。
【００５２】
また、上記実施形態では、内側配置部３の気体排出端部３ｆ（非連結端部３ｃ）は、本体開口部２ｅと重なる（具体的には、面一になる）ように構成されているが、これに限定されるものではなく、例えば、図５（ｂ）に示すように、気体排出端部３ｆ（非連結端部３ｃ）が本体開口部２ｅよりも収容部２ｃ側になるように構成されてもよい。
【００５３】
また、上記実施形態では、本体部２と内側配置部３とが別個のシート材を用いて形成されているが、これに限定されるものではなく、例えば、一枚のシート材が折り込まれることで、本体部２と内側配置部３とが形成されてもよい。また、上記実施形態では、本体部２は、一枚のシート材から形成されているが、これに限定されるものではなく、例えば、一対の本体対向部２ａ，２ａが別個のシート材から形成されてもよい。また、上記実施形態では、本体部２は、折込部２ｂを備えるように構成されているが、これに限定されるものではなく、例えば、折込部２ｂを備えない本体部２であってもよい。
【００５４】
また、上記実施形態では、内側配置部３は、四角形状の包装袋１の角部に配置されているが、これに限定されるものではなく、例えば、角部以外の端部に配置されるように構成されてもよい。具体的には、四角形状の包装袋１の各辺の両端部間領域（好ましくは、角部の近傍）に配置されるようにしてもよい。
【符号の説明】
【００５５】
１…包装袋、１ａ…外周シール部、１ｂ，１ｃ，１ｄ…シール部、２…本体部、２ａ…本体対向部、２ｂ…折込部、２ｃ…収容部、２ｄ…剥離シール部、２ｅ…本体開口部、２ｇ…開口部、２１ｄ…凸状部、３…内側配置部、３ａ…内側対向部、３ｂ…内側連結部、３ｃ…非連結端部、３ｅ…気体流入部（気体流入端部）、３ｆ…気体排出部（気体排出端部）、Ｘ…物品
【図１】
2017137111.tif 000003
【図２】
2017137111.tif 000004
【図３】
2017137111.tif 000005
【図４】
2017137111.tif 000006
【図５】
2017137111.tif 000007